(57)【要約】 【課題】管理者に負担を掛けずに、施設に設置された複数の蓄熱暖房器をその施設やその施設の環境等に応じて最適に制御すること。【解決手段】蓄熱暖房器の遠隔管理装置は、例えば動作モード設定部２０によってファンのオン・オフと、このファンの回転数の制御等から成る複数の曜日設定モードＡ、Ｂ、…、Ｈを設定し、カレンダ管理部２１によって図４に示すように１ケ月のカレンダの各曜日（日・月・火・水・木・金・土）に対して各曜日設定モードＡ、Ｂ、…、Ｈのいずれか１つのモードを設定し、蓄熱暖房制御部２２によって複数の蓄熱暖房器群４−１〜４−ｋの各蓄熱暖房器５−１〜５−ｎ、７−１〜７−ｍ別に曜日設定モードＡ、Ｂ、…、又はＨに従って個別に動作制御する。【選択図】図１
2014185837.tif 000002
【特許請求の範囲】
【請求項１】
複数の蓄熱暖房器から成る蓄熱暖房器群を少なくとも１群備え、前記蓄熱暖房器群の前記各蓄熱暖房器の動作状態をネットワークを介して遠方で一括管理する蓄熱暖房器の管理装置において、
前記蓄熱暖房器群の前記各蓄熱暖房器を動作させるための少なくとも室温を設定した少なくとも１つの動作モードを設定する動作モード設定部と、
日を最小単位として前記動作モード設定部で設定された前記動作モードを前記日別に設定するカレンダ管理部と、
前記カレンダ管理部に設定された前記動作モードに従って前記蓄熱暖房器群別に前記各蓄熱暖房器を動作制御する蓄熱暖房制御部と、
を具備することを特徴とする蓄熱暖房器の管理装置。
【請求項２】
前記動作モード設定部は、前記複数の蓄熱暖房器群中から前記動作モードの設定対象となる前記蓄熱暖房器群を選択し、当該選択された前記蓄熱暖房器群に対して前記動作モードを設定することを特徴とする請求項１記載の蓄熱暖房器の管理装置。
【請求項３】
前記動作モード設定部は、前記蓄熱暖房器群に対して一括して前記動作モードを設定することを特徴とする請求項１記載の蓄熱暖房器の管理装置。
【請求項４】
前記動作モード設定部は、前記蓄熱暖房器群中における前記各蓄熱暖房器毎の個別に前記動作モードを設定することを特徴とする請求項１記載の蓄熱暖房器の管理装置。
【請求項５】
前記動作モード設定部は、前記蓄熱暖房器群における前記各蓄熱暖房器の各蓄熱部材を蓄熱し、放熱して暖房を行うときの少なくとも前記室温の設定、前記蓄熱部材からの放熱を送風する送風機の動作の設定、前記蓄熱部材に蓄熱を行うためのヒータの動作の設定を含む各機能の設定を行うことを特徴とする請求項１又は２記載の蓄熱暖房器の管理装置。
【請求項６】
前記動作モード設定部は、日単位で、かつ時間経過と共に変化する前記室温がそれぞれ異なる複数の前記動作モードを設定することを特徴とする請求項１記載の蓄熱暖房器の管理装置。
【請求項７】
前記蓄熱暖房器は、蓄熱とその放熱とを行う蓄熱部材と、前記蓄熱部材に蓄熱を行うためのヒータと、前記蓄熱部材の放熱を温風として送風するファンとを有し、
前記動作モード設定部は、前記動作モードの設定項目として、前記ファンのオン・オフと、前記ファンの回転数の制御と、前記ヒータのオン・オフと、前記蓄熱部材から蓄熱を行って暖房するときの室温の設定と、前記蓄熱部材への蓄熱開始時の周囲環境の気温と、前記蓄熱部材への蓄熱開始時の蓄熱レベルと、前記蓄熱部材にフルに蓄熱したときの外気温とを有することを特徴とする請求項１記載の蓄熱暖房器の管理装置。
【請求項８】
前記動作モード設定部は、前記動作モードの前記設定項目毎の設定の違いによって複数の動作モードを設定可能とすることを特徴とする請求項６記載の蓄熱暖房器の管理装置。
【請求項９】
前記動作モード設定部は、前記動作モードの前記設定項目を曜日毎に異なる固有な設定内容で設定可能とすることを特徴とする請求項６記載の蓄熱暖房器の管理装置。
【請求項１０】
前記カレンダ管理部は、少なくとも曜日毎に、前記動作モード設定部で設定された前記動作モードを設定することを特徴とする請求項１記載の蓄熱暖房器の管理装置。
【請求項１１】
前記カレンダ管理部は、前記日を選択し、当該選択された日別に、前記動作モード設定部で設定された前記動作モードを変更可能とすることを特徴とする請求項１記載の蓄熱暖房器の管理装置。
【請求項１２】
前記カレンダ管理部は、少なくともカレンダ中の１ヶ月を単位として表示し、当該カレンダ中で前記少なくとも室温の設定が異なる複数の前記動作モードの区別を日別に色表示することを特徴とする請求項１記載の蓄熱暖房器の管理装置。
【請求項１３】
前記蓄熱暖房器群別に前記各蓄熱暖房器の動作状態をリアルタイムでモニタするモニタリング部を有することを特徴とする請求項１記載の蓄熱暖房器の管理装置。
【請求項１４】
前記モニタリング部のモニタ結果を動作履歴として保存する履歴保存部を有することを特徴とする請求項１３記載の蓄熱暖房器の管理装置。
【請求項１５】
前記動作モード設定部は、前記履歴保存部に保存されている前記動作履歴に基づいて前記蓄熱部材への蓄熱量を設定することを特徴とする請求項１４記載の蓄熱暖房器の管理装置。
【請求項１６】
建造物に前記複数の蓄熱暖房器を配置するレイアウト図を表示するレイアウト表示部と、
前記複数の蓄熱暖房器の動作状態を監視し、前記蓄熱暖房器に異常が発生すると、当該異常発生を示す報知を、前記レイアウト図上における当該異常が発生した前記蓄熱暖房器の配置位置で行う異常報知部と、
を有することを特徴とする請求項１記載の蓄熱暖房器の管理装置。
【請求項１７】
前記少なくとも１つの蓄熱暖房器群の前記各蓄熱暖房器の動作状態をネットワークを介して一括管理する第１のコンピュータと、
前記第１のコンピュータに対して前記ネットワークを介してそれぞれ接続され、かつ前記蓄熱暖房器群別に、当該蓄熱暖房器群の前記各蓄熱暖房器をそれぞれ動作制御する少なくとも１つの第２のコンピュータと、
を備え、
前記第１と前記第２のコンピュータは、それぞれ少なくとも前記動作モード設定部と、前記カレンダ管理部と、前記蓄熱暖房制御部と、前記モニタリング部と、前記履歴保存部と、前記レイアウト表示部とのいずれかに動作許可を与える動作許可部を有する、
ことを特徴とする請求項１記載の蓄熱暖房器の管理装置。
【発明の詳細な説明】
【技術分野】
【０００１】
本発明は、複数の蓄熱暖房器の動作状態をネットワークを介して遠方で一括集中管理する蓄熱暖房器の管理装置に関する。
【背景技術】
【０００２】
蓄熱暖房器は、蓄熱とその放熱とを行う蓄熱部材を備え、この蓄熱部材に対してヒータからの放熱によって蓄熱し、この蓄熱された蓄熱部材から放熱を行い、この放熱をファンの駆動により温風として送風し、室内を暖房する。  
このような蓄熱暖房器は、例えば学校や公共施設等に設置され、学校では各教室等の部屋毎に１台ずつ設置される。このように学校等に設置された複数の蓄熱暖房器は、それぞれ使用条件に応じて制御される。例えば特許文献１は、１台の蓄熱暖房器の個別設定値を決め、他の蓄熱暖房器の個別設定値も決め、全ての個別設定値が決まると、これら個別設定値を集中ユニットを介して各蓄熱暖房器に送信し、これら蓄熱暖房器では受信した個別設定値に基づいて蓄熱運転を行うことにより、利用する部屋の状況に応じた蓄熱量の決定ミスや設定ミス等の発生を抑制できる利便性の高い蓄熱暖房器制御システムについて開示する。
【先行技術文献】
【特許文献】
【０００３】
【特許文献１】特開２００６−０６４３４０号公報
【発明の概要】
【発明が解決しようとする課題】
【０００４】
しかしながら、上記蓄熱暖房器制御システムは、学校等の１つの施設内の各教室に設置された複数の蓄熱暖房器に対する制御を行うものであり、学校等の施設の管理者は、各教室の蓄熱暖房器の動作状態をそれぞれ管理する必要があり、管理者に負担が掛かるものとなっている。
【０００５】
本発明の目的は、管理者に負担を掛けずに、施設に設置された複数の蓄熱暖房器をその施設やその施設の環境等に応じて最適に制御できる蓄熱暖房器の管理装置を提供することにある。
【課題を解決するための手段】
【０００６】
本発明の主要な局面に係る蓄熱暖房器の管理装置は、複数の蓄熱暖房器から成る蓄熱暖房器群を少なくとも１群備え、前記蓄熱暖房器群の前記各蓄熱暖房器の動作状態をネットワークを介して遠方で一括管理する蓄熱暖房器の管理装置において、前記蓄熱暖房器群の前記各蓄熱暖房器を動作させるための少なくとも室温を設定した少なくとも１つの動作モードを設定する動作モード設定部と、日を最小単位として前記動作モード設定部で設定された前記動作モードを前記日別に設定するカレンダ管理部と、前記カレンダ管理部に設定された前記動作モードに従って前記蓄熱暖房器群別に前記各蓄熱暖房器を動作制御する蓄熱暖房制御部とを具備する。
【発明の効果】
【０００７】
本発明によれば、管理者に負担を掛けずに、施設に設置された複数の蓄熱暖房器をその施設やその施設の環境等に応じて最適に制御できる蓄熱暖房器の管理装置を提供できる。
【図面の簡単な説明】
【０００８】
【図１】本発明に係る蓄熱暖房器の管理装置の一実施の形態を示す全体構成図。
【図２】同装置における第１のＰＣを示す機能ブロック図。
【図３】同装置における動作モード（曜日設定モード）の設定方法を示す模式図。
【図４】同装置におけるカレンダへの曜日設定モードの設定方法を示す模式図。
【図５】同装置における各曜日設定モードをカレンダ上に展開したカレンダ管理図を示す模式図。
【図６】同装置を使用する秋から冬、春に掛けての外気温の変化の一例を示す図。
【図７】同装置を使用するある季節の１日における室温の変化の一例を示す図。
【図８】同装置における蓄熱暖房器における蓄熱部材の外気温に対する蓄熱レベルの関係を示す図。
【図９】同装置におけるディスプレイに表示する蓄熱暖房器レイアウト図の一例を示す図。
【発明を実施するための形態】
【０００９】
以下、本発明の一実施の形態について図面を参照して説明する。  
図１は蓄熱暖房器の管理装置の全体構成図を示す。サービスセンタ１には、第１のパーソナルコンピュータ（以下、第１のＰＣと称する）２が設けられている。この第１のパーソナルコンピュータ２は、キーボード等のマニュアル用の操作部を備える。又、第１のパーソナルコンピュータ２には、ディスプレイ３が接続されている。
【００１０】
第１のパーソナルコンピュータ２には、ローカルエリアネットワーク（以下、ＬＡＮと称する）１０を介して複数の蓄熱暖房器群４−１〜４−ｋが接続されている。これら蓄熱暖房器群４−１〜４−ｋは、それぞれ複数の蓄熱暖房器を有する。このうち蓄熱暖房器群４−１は、複数の蓄熱暖房器５−１〜５−ｎを有する。これら蓄熱暖房器５−１〜５−ｎは、それぞれ例えば学校や公共施設等の第１の施設６−１に設置されている。蓄熱暖房器群４−ｋは、複数の蓄熱暖房器７−１〜７−ｍを有する。これら蓄熱暖房器７−１〜７−ｍは、それぞれ例えば学校や公共施設等の第ｋの施設６−ｋに設置されている。  
なお、第１のパーソナルコンピュータ２にＬＡＮ１０を介して接続されるのは、複数の蓄熱暖房器群４−１〜４−ｋに限らず、１群の蓄熱暖房器群、例えば蓄熱暖房器群４−１のみであってもよい。又、施設は、第１〜第ｋの施設６−１〜６−ｋに限らず、他の施設を含めて複数の施設が設けられ、それぞれの施設に複数の蓄熱暖房器が設置されていてもよい。これら第１及び第ｋの施設６−１、６−ｋが例えばそれぞれ学校であれば、これら学校の各教室や職員室等の各室内にそれぞれ各蓄熱暖房器５−１〜５−ｎ、７−１〜７−ｍが設置される。
【００１１】
これら蓄熱暖房器５−１〜５−ｎ、７−１〜７−ｍは、それぞれ蓄熱とその放熱とを行う蓄熱部材と、この蓄熱部材に蓄熱を行うためのヒータと、蓄熱部材の放熱を温風として送風するファンとを備え、ヒータからの放熱を蓄熱部材に蓄熱し、この蓄熱された蓄熱部材から放熱を行い、この放熱をファンの駆動により温風として送風し、第１及び第ｋの施設６−１、６−ｋの各室内、例えば学校の各教室を暖房する。
【００１２】
具体的な構成について説明すると、サービスセンタ１の第１のＰＣ２には、ＬＡＮ１０を介して第１〜第ｋの施設６−１〜６−ｋの各ハブが接続されている。例えば、サービスセンタ１の第１のＰＣ２には、ＬＡＮ１０を介して第１の施設６−１のハブ１１と、第ｋの施設６−ｋのハブ１２とが接続されている。このうちの第１の施設６−１のハブ１１には、複数の蓄熱暖房器５−１〜５−ｎが接続されると共に、第２のパーソナルコンピュータ（以下、第２のＰＣと称する）１３−１が接続され、さらに外気温センサＳ−１が接続されている。  
第ｋの施設６−ｋのハブ１２には、複数の蓄熱暖房器７−１〜７−ｍが接続されると共に、第２のパーソナルコンピュータ（以下、第２のＰＣと称する）１３−ｋが接続され、さらに外気温センサＳ−ｋが接続されている。
【００１３】
複数の外気温センサＳ−１〜Ｓ−ｋは、それぞれ第１〜ｋの施設６−１〜６−ｋの周囲環境の気温（外気温）を検出する。なお、第１のＰＣ２には、キーボードやマウス、ディスプレイ３の表示画面上に設けられたタッチパネル等のマニュアル操作部が接続されている。
【００１４】
第１のＰＣ２は、複数の蓄熱暖房器群４−１〜４−ｋにおける各蓄熱暖房器５−１〜５−ｎ、７−１〜７−ｍの動作状態、例えばヒータへの通電のオン・オフ、ファンの動作のオン・オフ、蓄熱部材への蓄熱動作中又は蓄熱動作停止、蓄熱部材からの放熱動作中又は放熱動作停止、ファンの動作中又は動作停止、設定室温の変更等をＬＡＮ１０を介して遠方で一括管理する。この第１のＰＣ２は、ＣＰＵやＲＯＭ、ＲＡＭ、入出力ポート等を備え、例えばＲＯＭに格納されている管理プログラムを実行して上記各蓄熱暖房器５−１〜５−ｎ、７−１〜７−ｍの動作状態を一括管理する。
【００１５】
図２は第１のＰＣ２の機能ブロック図を示す。第１のＰＣ２は、各蓄熱暖房器５−１〜５−ｎ、７−１〜７−ｍの動作状態を一括管理するための機能として動作モード設定部２０と、カレンダ管理部２１と、蓄熱暖房制御部２２と、モニタリング部２３と、履歴保存部２４と、レイアウト表示部２５と、異常報知部２６と、動作許可部２７とを有する。  
動作モード設定部２０は、複数の蓄熱暖房器群４−１〜４−ｋの各蓄熱暖房器５−１〜５−ｎ、７−１〜７−ｍを動作させるためのそれぞれ相違する複数の動作モードを設定する。これら動作モードは、複数の蓄熱暖房器群４−１〜４−ｋの各蓄熱暖房器５−１〜５−ｎ、７−１〜７−ｍを動作させるために少なくとも室温の変化を異ならせた複数の動作モード、例えば日単位でかつ時間経過と共に変化する室温設定がそれぞれ相違する複数の動作モードを有する。これら動作モードは、後述するようにカレンダの各曜日ごとに設定されるので、以下、曜日設定モードと称する。
【００１６】
この曜日設定モードの設定項目は、具体的に、複数の蓄熱暖房器群４−１〜４−ｋにおける各蓄熱暖房器５−１〜５−ｎ、７−１〜７−ｍの各蓄熱部材を蓄熱し、この蓄熱された各蓄熱部材からそれぞれ放熱を行って暖房を行うときのもので、例えば、ファンのオン・オフと、このファンの回転数の制御と、ヒータのオン・オフと、蓄熱部材から蓄熱を行って暖房するときに設定される室温（設定室温）と、蓄熱部材への蓄熱開始時の周囲環境の気温（外気温）と、蓄熱部材への蓄熱開始時の蓄熱レベル（蓄熱開始時蓄熱レベル）と、蓄熱部材にフルに蓄熱したときの外気温（フル蓄熱時外気温）とを有する。
【００１７】
又、動作モード設定部２０は、例えばサービスセンタ１に在中する管理者がキーボード等のマニュアル操作部を操作したときに、当該マニュアル操作部から曜日設定モードの設定対象となる少なくとも１群の蓄熱暖房器群を示す操作指示と、当該蓄熱暖房器群に設定する曜日設定モードを示す操作指示とを受けると、これら操作指示に従って設定対象となる１群の蓄熱暖房器群に対する曜日設定モードを設定する。
【００１８】
動作モード設定部２０は、複数の蓄熱暖房器群４−１〜４−ｋに対する曜日設定モードの設定方法として以下の方法がある。動作モード設定部２０は、複数の蓄熱暖房器群４−１〜４−ｋに対して一括して曜日設定モードを設定する。  
動作モード設定部２０は、複数の蓄熱暖房器群４−１〜４−ｋにおける各蓄熱暖房器５−１〜５−ｎ、７−１〜７−ｍ別に個別の曜日設定モードを設定する。  
動作モード設定部２０は、曜日設定モードの設定項目毎、例えば、上記ファンのオン・オフと、このファンの回転数の制御と、ヒータのオン・オフと、室温と、外気温と、蓄熱開始時蓄熱レベルと、フル蓄熱時外気温との各設定の相違によって複数の曜日設定モードを設定する。  
動作モード設定部２０は、上記曜日設定モードの設定項目を曜日毎に相違する固有な設定内容で設定する。  
動作モード設定部２０は、履歴保存部２４に保存されている各蓄熱暖房器５−１〜５−ｎ、７−１〜７−ｍ毎の各動作履歴に基づいて各蓄熱暖房器５−１〜５−ｎ、７−１〜７−ｍ毎の蓄熱部材への蓄熱量を設定する。
【００１９】
図３は曜日設定モードの設定方法の模式図を示す。曜日設定モードは、複数の動作モード、例えば曜日設定モードＡ、Ｂ、…、Ｈを有し、それぞれ各曜日ごとに設定される。これら曜日設定モードＡ、Ｂ、…、Ｈは、それぞれ設定項目の設定内容が相違する。これら曜日設定モードＡ、Ｂ、…、Ｇの設定項目は、それぞれ上記の通り、例えば、ファンのオン・オフと、このファンの回転数の制御と、ヒータのオン・オフと、設定室温と、蓄熱開始時の周囲環境の気温（外気温）と、蓄熱開始時蓄熱レベルと、フル蓄熱時外気温とを有し、これら設定内容の相違により複数の曜日設定モードＡ、Ｂ、…、Ｈが設定される。これら曜日設定モードＡ、Ｂ、…、Ｈの設定は、ディスプレイ３の表示画面上に表示される曜日設定モード用の画面を見ながら例えばサービスセンタ１の管理者が第１のＰＣ２のキーボード等をマニュアル操作して設定する。
【００２０】
しかるに、複数の曜日設定モードＡ、Ｂ、…、Ｈは、それぞれ例えばファンのオン・オフと、このファンの回転数の制御と、ヒータのオン・オフと、室温設定と、蓄熱開始時気温と、蓄熱開始時蓄熱レベルと、フル蓄熱時外気温との各設定が相違する。これら曜日設定モードＡ、Ｂ、…、Ｈの各設定項目が設定されると、これら曜日設定モードＡ、Ｂ、…、Ｈは、タスクテンプレートとして例えば第１のＰＣ２内のＲＡＭに保存される。
【００２１】
複数の曜日設定モードＡ、Ｂ、…、Ｈは、各曜日の室内の環境に応じた曜日設定モード、例えば日曜日に好適な曜日設定モードＤや、月曜日に好適な曜日設定モードＡ、火・水・木曜日のそれぞれに好適な曜日設定モードＢ、金曜日に好適な曜日設定モードＦ、土曜日に好適な曜日設定モードＣ等がある。例えば、日曜日に好適な曜日設定モードＤは、学校が休みで、教室等を使用することがないので、蓄熱暖房を行わないモードである。月曜日に好適な曜日設定モードＡは、前日が日曜日で蓄熱暖房を行わない日の翌日であるので教室の室温が低下していることから蓄熱暖房の設定室温を高く設定したモードである。金曜日に好適な曜日設定モードＦは、月曜日から木曜日に掛けての蓄熱暖房によって教室の室温が上昇していることから蓄熱暖房の設定室温を低く設定したモードである。
【００２２】
カレンダ管理部２１は、キーボード等のマニュアル操作部からの操作指示を受けて、日を最小単位とする曜日毎に、動作モード設定部２０で設定された曜日設定モードＡ、Ｂ、…、Ｈを日別に設定する。  
カレンダ管理部２１は、キーボード等のマニュアル操作部からの操作指示を受けて、日を選択し、当該選択された日別に、動作モード設定部で設定された曜日設定モードＡ、Ｂ、…、Ｈを変更可能とする。  
カレンダ管理部２１は、少なくともカレンダを１ヶ月単位としてディスプレイ３の表示画面上に表示し、かつ当該カレンダ中で少なくとも室温の設定が異なる複数の曜日設定モードＡ、Ｂ、…、Ｈの区別を日別に色表示する。例えばカレンダ管理部２１は、カレンダの日別に設定された曜日設定モードＡ、Ｂ、…、Ｈの別を色表示、例えば曜日設定モードＡは青色、曜日設定モードＢは緑色、曜日設定モードＣは紫色、曜日設定モードＤは赤色、曜日設定モードＦは黄色等である。
【００２３】
図４はカレンダへの各曜日設定モードＡ、Ｂ、…、Ｈの設定方法の模式図を示す。カレンダの各曜日（日・月・火・水・木・金・土）に対して各曜日設定モードＡ、Ｂ、…、Ｈのいずれか１つのモードが設定される。同図において、例えば、日曜日は曜日設定モードＤに設定され、月曜日は曜日設定モードＡに設定され、火−木曜日はそれぞれ曜日設定モードＢに設定され、金曜日は曜日設定モードＦに設定され、土曜日は曜日設定モードＣに設定されている。
【００２４】
カレンダ管理部２１は、例えば２０１Ｘ年６月の１ケ月のカレンダ３０をディスプレイ３の表示画面上に表示する。図５は図４に示すように各曜日（日・月・火・水・木・金・土）毎に設定された各曜日設定モードＡ、Ｂ、…、Ｈをカレンダ上に展開したカレンダ管理図の模式図を示す。このカレンダ３０は、通常のカレンダと同様に、例えば西暦の年月と、各曜日（日・月・火・水・木・金・土）と、日（１、２、…、３０日）とからなる。カレンダ管理部２１は、１ヶ月用の戻りボタン３１と、数か月用の戻りボタン３２と、１ヶ月用の進みボタン３３と、数か月用の進みボタン３４とを有する。
【００２５】
カレンダ管理部２１は、例えば１ヶ月単位でカレンダ３０をディスプレイ３の表示画面上に表示し、かつ当該カレンダ３０上に、例えば図４に示すように各曜日（日・月・火・水・木・金・土）に設定された各曜日設定モードＡ、Ｂ、…、Ｈを設定する。例えば２０１Ｘ年６月の日曜日（６、１３、２０、２７日）は、全て曜日設定モードＤに設定される。これら日曜日（６、１３、２０、２７日）は、曜日設定モードＤの赤色に表示される。当該各曜日設定モードＡ、Ｂ、…、Ｈが設定されたカレンダ３０は、カレンダ管理データと称する。
【００２６】
カレンダ管理部２１は、キーボード等のマニュアル操作部からの操作指示を受け、最小単位とする日毎、例えば図４に示すように最小単位とする日として６月２９日（火曜日）の曜日設定モードを変更設定可能である。当該曜日設定モードの変更の操作は、次の通りである。同６月２９日（火曜日）は、元々曜日設定モードＢに設定されている。例えばマニュアル操作部のマウスを操作することによりディスプレイ３の表示画面上においてポインタをカレンダ３０の６月２９日（火曜日）上に配置する。この状態でマウスをクリック動作することによって曜日設定モードの変更用の画面をディスプレイ３の表示画面上に表示する。この表示画面上で曜日設定モードを変更設定することによって個別の日、例えば６月２９日（火曜日）等の日単位での曜日設定モードが変更設定される。
【００２７】
カレンダ管理部２１は、複数の蓄熱暖房器群４−１〜４−ｋの各蓄熱暖房器５−１〜５−ｎ、７−１〜７−ｍの１台毎にそれぞれ上記カレンダ管理データを設定し、これらカレンダ管理データを第１のＰＣ２の例えばＲＡＭ等に保存する。従って、第１のＰＣ２のＲＡＭには、複数の蓄熱暖房器群４−１〜４−ｋの各蓄熱暖房器５−１〜５−ｎ、７−１〜７−ｍ毎のカレンダ管理データ、例えば図５に示すように１ヶ月単位で各曜日（日・月・火・水・木・金・土）に設定された各曜日設定モードＡ、Ｂ、…、Ｈを含むカレンダ管理データが保存される。
【００２８】
上記図５は例えば６月のカレンダ管理データを示す。複数の蓄熱暖房器群４−１〜４−ｋの各蓄熱暖房器５−１〜５−ｎ、７−１〜７−ｍを使用する環境のうち外気温は、季節によって変化する。各蓄熱暖房器５−１〜５−ｎ、７−１〜７−ｍは、例えば秋から冬、春に掛けて使用する頻度が高い。図６は秋から冬、春に掛けての外気温Ｔｏの変化の一例を示す。  
一方、図７はある季節の１日における室温の変化の一例を示す。同図は、第１及び第ｋの施設６−１、６−ｋが学校である場合における例えば保健室、一般教室、理科・音楽室の各室温Ｔｆ、Ｔｒ、Ｔｓの変化を示す。  
従って、カレンダ管理部２１は、複数の蓄熱暖房器群４−１〜４−ｋにおける各蓄熱暖房器５−１〜５−ｎ、７−１〜７−ｍの季節によって変化する外気温Ｔｏと、例えば学校の保健室、一般教室、理科・音楽室等における一日の室温Ｔｆ、Ｔｒ、Ｔｓの変化を考慮して図５に示すような毎月のカレンダ管理データを設定可能である。
【００２９】
蓄熱暖房制御部２２は、第１のＰＣ２の例えばＲＡＭから複数の蓄熱暖房器群４−１〜４−ｋの各蓄熱暖房器５−１〜５−ｎ、７−１〜７−ｍ別にカレンダ管理部２１に設定された各曜日設定モードＡ、Ｂ、…、又はＨを読み出し、これら曜日設定モードＡ、Ｂ、…、又はＨ、すなわち例えばファンのオン・オフと、このファンの回転数と、ヒータのオン・オフと、設定室温と、蓄熱開始時の周囲環境の気温（外気温）と、蓄熱開始時蓄熱レベルと、フル蓄熱時外気温とに従って複数の蓄熱暖房器群４−１〜４−ｋの各蓄熱暖房器５−１〜５−ｎ、７−１〜７−ｍをそれぞれ個別に動作制御する。
【００３０】
モニタリング部２３は、複数の蓄熱暖房器群４−１〜４−ｋ別に、これら蓄熱暖房器群４−１〜４−ｋの各蓄熱暖房器５−１〜５−ｎ、７−１〜７−ｍの動作状態をそれぞれリアルタイムでモニタリングする。モニタリングする動作状態は、例えば、各蓄熱暖房器５−１〜５−ｎ、７−１〜７−ｍの各動作時間と、各蓄熱暖房器５−１〜５−ｎ、７−１〜７−ｍの各蓄熱部材から放熱を行った時間と、各蓄熱暖房器５−１〜５−ｎ、７−１〜７−ｍの各ファンのオン・オフの状態と、これらファンの回転数の変化と、各蓄熱暖房器５−１〜５−ｎ、７−１〜７−ｍにおける各ヒータのオン・オフの状態と、各蓄熱暖房器５−１〜５−ｎ、７−１〜７−ｍの設定室温の変更と、蓄熱開始時の周囲環境の気温（外気温）と、各蓄熱暖房器５−１〜５−ｎ、７−１〜７−ｍの各蓄熱開始時蓄熱レベルと、フル蓄熱時外気温とである。
【００３１】
履歴保存部２４は、モニタリング部２３のモニタ結果を動作履歴データとして例えばＲＡＭ等に保存する。  
なお、上記動作モード設定部２０は、履歴保存部２４に保存されている各蓄熱暖房器群４−１〜４−ｋ別に各蓄熱暖房器の動作履歴データに基づいて各蓄熱暖房器の蓄熱部材への蓄熱量を設定する。  
例えば、動作モード設定部２０は、蓄熱開始時における蓄熱部材の蓄熱開始時蓄熱レベルと、室温設定と、蓄熱開始時の周囲環境の気温（外気温）と、蓄熱部材への蓄熱量とを動作履歴データとして予めＲＡＭ等に保存する。  
動作モード設定部２０は、複数の蓄熱暖房器群４−１〜４−ｋの各第２のＰＣ１３−１〜１３−ｋからＬＡＮ１０を通してそれぞれ各蓄熱暖房器５−１〜５−ｎ、７−１〜７−ｍにおける各蓄熱開始時蓄熱レベルと、各設定室温と、各蓄熱開始時の周囲環境の気温との情報を収集し、これら収集された情報とＲＡＭ等に保存されている動作履歴データとを照合することによって、蓄熱暖房器群４−１〜４−ｋにおける各蓄熱暖房器５−１〜５−ｎ、７−１〜７−ｍの各蓄熱部材への各蓄熱量を決定する。  
これら蓄熱量の決定は、各蓄熱暖房器５−１〜５−ｎ、７−１〜７−ｍから収集された情報と動作履歴データとを照合することによって、動作履歴データ中から収集された情報に類似する動作履歴データを選び出し、この選び出した動作履歴データ中に記録されている各蓄熱暖房器５−１〜５−ｎ、７−１〜７−ｍの各蓄熱部材への各蓄熱量を読み取って決定する。
【００３２】
又、動作モード設定部２０は、各蓄熱暖房器５−１〜５−ｎ、７−１〜７−ｍから収集された情報と動作履歴データ中の最新の情報とを照合することによって、例えば、蓄熱開始時蓄熱レベルが大きく、設定室温が高く、又は蓄熱開始時の周囲環境の気温（外気温）が高ければ、蓄熱部材への蓄熱量を少なく設定する。蓄熱開始時蓄熱レベルが小さく、設定室温が低く、又は熱開始時の周囲環境の気温（外気温）が低ければ、動作モード設定部２０は、蓄熱部材への蓄熱量を大きく設定する。この場合、蓄熱部材への蓄熱量を変更する量は、蓄熱開始時蓄熱レベル、設定室温、又は熱開始時の周囲環境の気温（外気温）と動作履歴データ中の最新の情報との差異に応じた蓄熱部材への蓄熱量の変化量を予め設定し、上記差異に応じて蓄熱部材への蓄熱量を変更設定する。
【００３３】
なお、図８は各蓄熱暖房器５−１〜５−ｎ、７−１〜７−ｍにおける各蓄熱部材の外気温に対する蓄熱レベルの関係を示す。蓄熱部材の蓄熱レベルは、外気温が低下する程、高くなることが分かる。同図における蓄熱レベルラインＬ１では、寒冷地において、外気温１０℃の時の蓄熱部材への蓄熱レベルが７５％であり、フル蓄熱時の外気温が５℃である。蓄熱レベルラインＬ２では、省エネルギーにおいて、外気温１０℃の時の蓄熱部材への蓄熱レベルが４２％であり、フル蓄熱時の外気温が−１０℃である。
【００３４】
レイアウト表示部２５は、例えば、各種の施設、学校等の建造物に複数の蓄熱暖房器５−１〜５−ｎ、７−１〜７−ｍの一部を配置する蓄熱暖房器レイアウト図をディスプレイ３に表示する。このレイアウト表示部２５は、予め各種の施設、学校等の建造物のレイアウトデータと、建造物中における複数の蓄熱暖房器５−１〜５−ｎ、７−１〜７−ｍの配置位置データとを予め記憶し、レイアウトデータ上に配置位置データを付加して蓄熱暖房器レイアウト図を作成し、この蓄熱暖房器レイアウト図をディスプレイ３に表示する。
【００３５】
図９は蓄熱暖房器レイアウト図の一例を示す。蓄熱暖房器レイアウト図には、学校のレイアウトが表示されている。この学校のレイアウトは、例えば学校の設計データ、又は当該設計データを簡略化した設計データから成る。この学校のレイアウトは、例えば、職員室４０と、保健室４１と、応接室４２と、教室４３と、教室４４と、講堂４５とから成る。  
この学校のレイアウト中には、複数の蓄熱暖房器５−１〜５−ｎのうち例えば各蓄熱暖房器５−１〜５−６が配置されていることが示されている。これら蓄熱暖房器５−１〜５−６の配置位置は、それぞれ各蓄熱暖房器５−１〜５−６の配置位置データに基づいている。
【００３６】
レイアウト表示部２５は、ディスプレイ３に表示されている蓄熱暖房器レイアウト図上で、学校の各部屋の名称、例えば職員室、保健室、応接室、教室、教室、講堂を表示する。この職員室、保健室、応接室、教室、教室、講堂は、通常、黒色で表示される。  
異常報知部２６は、複数の蓄熱暖房器５−１〜５−ｎ、７−１〜７−ｍの動作状態を監視し、これら複数の蓄熱暖房器５−１〜５−ｎ、７−１〜７−ｍ中のいずれかに異常が発生すると、当該異常が発生した蓄熱暖房器を示す報知を、ディスプレイ３に表示されている蓄熱暖房器レイアウト図上で行う。
【００３７】
異常報知部２６による蓄熱暖房器の異常発生は、複数の蓄熱暖房器５−１〜５−ｎ、７−１〜７−ｍの動作状態、例えば、各蓄熱暖房器５−１〜５−ｎ、７−１〜７−ｍの正常な動作から離れた動作状態、具体的に、ファンの異常なオン・オフ、ファンの異常な回転数の増加又は減少、ヒータの異常なオン・オフ状態、設定室温の異常な変更設定等が生じたか否かを監視することにより検知する。  
異常報知部２６は、蓄熱暖房器の異常発生を検知すると、例えば異常が発生した蓄熱暖房器５−１の蓄熱暖房器レイアウト図上の文字「職員室」を黒色から赤色に変更して表示し、異常が発生したことを報知する。異常の報知は、文字「職員室」を黒色から赤色に変更し、かつ赤色の文字「職員室」を点滅させてもよいし、音声により「職員室」に異常が発生したことを報知してもよい。
【００３８】
動作許可部２７は、動作モード設定部２０と、カレンダ管理部２１と、蓄熱暖房制御部２２と、モニタリング部２３と、履歴保存部２４と、レイアウト表示部２５と、異常報知部２６とのいずれかにて動作許可を与える。この動作許可部２７は、管理者がキーボード等のマニュアル操作部を操作して動作許可を与える動作モード設定部２０と、カレンダ管理部２１と、蓄熱暖房制御部２２と、モニタリング部２３と、履歴保存部２４と、レイアウト表示部２５と、異常報知部２６とのいずれかの選択指示を受けると、この選択指示された動作モード設定部２０と、カレンダ管理部２１と、蓄熱暖房制御部２２と、モニタリング部２３と、履歴保存部２４と、レイアウト表示部２５と、異常報知部２６とのいずれかにて動作許可を与える。
【００３９】
サービスセンタ１の第１のＰＣ２に有する動作許可部２７は、動作モード設定部２０と、カレンダ管理部２１と、蓄熱暖房制御部２２と、モニタリング部２３と、履歴保存部２４と、レイアウト表示部２５と、異常報知部２６との全てに対して動作許可を与え、複数の蓄熱暖房器群４−１〜４−ｋの全ての蓄熱暖房器５−１〜５−ｎ、７−１〜７−ｍの動作状態を一括管理する。
【００４０】
なお、動作許可部２７は、動作モード設定部２０と、カレンダ管理部２１と、蓄熱暖房制御部２２と、モニタリング部２３と、履歴保存部２４と、レイアウト表示部２５と、異常報知部２６とのいずれかをバックグラウンドで動作させ、管理者がキーボード等のマニュアル操作部を操作して動作モード設定部２０と、カレンダ管理部２１と、蓄熱暖房制御部２２と、モニタリング部２３と、履歴保存部２４と、レイアウト表示部２５と、異常報知部２６との動作状態をディスプレイ３に表示することを不許可することが可能である。
【００４１】
一方、複数の蓄熱暖房器群４−１〜４−ｋの各第２のＰＣ１３−１〜１３−ｋは、サービスセンタ１の第１のＰＣ２と同様に、動作モード設定部２０と、カレンダ管理部２１と、蓄熱暖房制御部２２と、モニタリング部２３と、履歴保存部２４と、レイアウト表示部２５と、異常報知部２６と、動作許可部２７とを有する。  
これら第２のＰＣ１３−１〜１３−ｋにおいて各動作許可部２７は、それぞれ動作モード設定部２０と、カレンダ管理部２１と、蓄熱暖房制御部２２と、モニタリング部２３と、履歴保存部２４と、レイアウト表示部２５と、異常報知部２６とに対する動作許可に制限を与える。
【００４２】
複数の蓄熱暖房器群４−１〜４−ｋの各第２のＰＣ１３−１〜１３−ｋにおいて動作許可に制限を与えるのは、サービスセンタ１の第１のＰＣ２においては複数の蓄熱暖房器群４−１〜４−ｋの全ての蓄熱暖房器５−１〜５−ｎ、７−１〜７−ｍの動作状態を一括管理することから動作モード設定部２０と、カレンダ管理部２１と、蓄熱暖房制御部２２と、モニタリング部２３と、履歴保存部２４と、レイアウト表示部２５と、異常報知部２６との全てに対して動作許可を与えることが必要であるが、複数の蓄熱暖房器群４−１〜４−ｋの各第２のＰＣ１３−１〜１３−ｋにおいては、例えば動作モード設定部２０での各曜日設定モードＡ、Ｂ、…、Ｈの設定内容や、カレンダ管理部２１における例えば図５に示すカレンダ管理データの各曜日設定モードＡ、Ｂ、…、Ｈの設定を変更するときには、例えばサービスセンタ１の第１のＰＣ２の許可を得てから行うようになっているからである。
【００４３】
従って、各第２のＰＣ１３−１〜１３−ｋにおける各動作許可部２７は、動作モード設定部２０と、カレンダ管理部２１と、蓄熱暖房制御部２２と、モニタリング部２３と、履歴保存部２４と、レイアウト表示部２５と、異常報知部２６とのいずれか、例えば動作モード設定部２０と、カレンダ管理部２１と、モニタリング部２３と、履歴保存部２４と、レイアウト表示部２５とをバックグラウンドで動作させ、管理者がキーボード等のマニュアル操作部を操作しても、当該動作モード設定部２０と、カレンダ管理部２１と、モニタリング部２３と、履歴保存部２４と、レイアウト表示部２５との動作状態をディスプレイ３に表示することを不許可する。
【００４４】
次に、上記の如く構成された蓄熱暖房器の管理装置の動作について説明する。  
第１の施設６−１が例えば学校である場合、この学校には、例えば図９に示すように職員室４０と、保健室４１と、応接室４２と、教室４３と、教室４４と、講堂４５とにそれぞれ複数の蓄熱暖房器５−１〜５−６が配置されている。  
第２〜第ｋの施設６−２〜６−ｋにおいても、当該第２〜第ｋの施設６−２〜６−ｋの各部屋にそれぞれ例えば各蓄熱暖房器７−１〜７−ｍが配置されている。
【００４５】
サービスセンタ１の第１のＰＣ２は、ＬＡＮ１０を介して、複数の蓄熱暖房器群４−１〜４−ｋにおける各蓄熱暖房器５−１〜５−ｎ、７−１〜７−ｍの動作状態、例えばヒータへの通電のオン・オフ、ファンの動作のオン・オフ、蓄熱部材への蓄熱動作中又は蓄熱動作停止、蓄熱部材からの放熱動作中又は放熱動作停止、ファンの動作中又は動作停止、設定室温の変更等を遠方で一括管理する。  
これら蓄熱暖房器群４−１〜４−ｋにおける各蓄熱暖房器５−１〜５−ｎ、７−１〜７−ｍの各動作状態を一括管理するために、第１のＰＣ２における動作モード設定部２０は、先ず、複数の蓄熱暖房器群４−１〜４−ｋの各蓄熱暖房器５−１〜５−ｎ、７−１〜７−ｍを動作させるためのそれぞれ相違する例えば図３に示すような複数の曜日設定モードＡ、Ｂ、…、Ｈを設定する。これら曜日設定モードＡ、Ｂ、…、Ｈの設定は、ディスプレイ３の表示画面上に表示される曜日設定モード用の画面を見ながら例えばサービスセンタ１の管理者が第１のＰＣ２のキーボード等をマニュアル操作して設定される。
【００４６】
これら曜日設定モードＡ、Ｂ、…、Ｈを設定は、例えば図３に示すように各曜日ごとに行われる。これら曜日設定モードＡ、Ｂ、…、Ｈは、それぞれ設定項目、例えば、ファンのオン・オフと、このファンの回転数の制御と、ヒータのオン・オフと、設定室温と、蓄熱開始時の周囲環境の気温（外気温）と、蓄熱開始時蓄熱レベルと、フル蓄熱時外気温との設定内容の相違し、この相違により複数の曜日設定モードＡ、Ｂ、…、Ｈが設定される。  
これら曜日設定モードＡ、Ｂ、…、Ｈは、各曜日の室内の環境に応じた曜日設定モード、例えば日曜日に好適な曜日設定モードＤや、月曜日に好適な曜日設定モードＡ、火水木曜日のそれぞれに好適な曜日設定モードＢ、金曜日に好適な曜日設定モードＦ、土曜日に好適な曜日設定モードＣ等である。例えば、日曜日に好適な曜日設定モードＤは、学校が休みで、教室等を使用することがないので、蓄熱暖房を行わないモードである。月曜日に好適な曜日設定モードＡは、前日が日曜日で蓄熱暖房を行わない日の翌日であるので教室の室温が低下していることから蓄熱暖房の設定室温を高く設定したモードである。金曜日に好適な曜日設定モードＦは、月曜日から木曜日に掛けての蓄熱暖房によって教室の室温が上昇していることから蓄熱暖房の設定室温を低く設定したモードである。  
これら曜日設定モードＡ、Ｂ、…、Ｈの各設定項目が設定されると、これら曜日設定モードＡ、Ｂ、…、Ｈは、タスクテンプレートとして例えば第１のＰＣ２内のＲＡＭに保存される。
【００４７】
次に、カレンダ管理部２１は、キーボード等のマニュアル操作部からの操作指示を受けて、図４に示すように、日を最小単位とする曜日毎に、動作モード設定部２０で設定された曜日設定モードＡ、Ｂ、…、Ｈを曜日別に設定する。  
例えば、カレンダ管理部２１は、図４に示すように例えば２０１Ｘ年６月の１ケ月のカレンダの各曜日（日・月・火・水・木・金・土）に対して各曜日設定モードＡ、Ｂ、…、Ｈのいずれか１つのモードを設定する。例えば、日曜日には、曜日設定モードＤが設定される。月曜日には、曜日設定モードＡが設定される。火−木曜日には、それぞれ曜日設定モードＢが設定される。金曜日には、曜日設定モードＦが設定される。土曜日には、曜日設定モードＣが設定される。
【００４８】
この設定が終了すると、カレンダ管理部２１は、図４に示すように各曜日（日・月・火・水・木・金・土）毎に設定された各曜日設定モードＡ、Ｂ、…、Ｈをカレンダ上に展開し、この展開した図５に示すような２０１Ｘ年６月の１ケ月のカレンダ３０をディスプレイ３の表示画面上に表示する。
【００４９】
カレンダ管理部２１は、図４に示す２０１Ｘ年６月のカレンダにおける各曜日設定モードＡ、Ｂ、…、Ｈの設定に限らず、２０１Ｘ年６月以降の月毎のカレンダにおける各曜日設定モードＡ、Ｂ、…、Ｈの設定もできる。例えば、２０１Ｘ年７月のカレンダに各曜日設定モードＡ、Ｂ、…、Ｈを設定する場合には、１ヶ月用の進みボタン３３をクリック操作することにより、カレンダ管理部２１は、２０１Ｘ年７月のカレンダをディスプレイ３の表示画面上に表示する。カレンダ管理部２１は、上記同様に、図４に示すように例えば２０１Ｘ年７月の１ケ月のカレンダの各曜日（日・月・火・水・木・金・土）に対して各曜日設定モードＡ、Ｂ、…、Ｈのいずれか１つのモードを設定する。
【００５０】
このようにカレンダ管理部２１は、１ヶ月用の進みボタン３３をクリック操作することにより例えば１ヶ月単位で毎月のカレンダ３０を順次ディスプレイ３の表示画面上に表示し、かつ当該カレンダ３０上に、例えば図４に示すように各曜日（日・月・火・水・木・金・土）に設定された各曜日設定モードＡ、Ｂ、…、Ｈを設定できる。
【００５１】
なお、数か月用の進みボタン３４をクリック操作すると、カレンダ管理部２１は、数か月先の例えば２０１Ｘ年１０月のカレンダをディスプレイ３の表示画面上に表示するので、上記同様に、２０１Ｘ年１０月の１ケ月のカレンダの各曜日（日・月・火・水・木・金・土）に対して各曜日設定モードＡ、Ｂ、…、Ｈのいずれか１つのモードを設定できる。
【００５２】
一方、１ヶ月前又は数か月前のカレンダの各曜日設定モードＡ、Ｂ、…、Ｈの設定を確認したい場合は、１ヶ月用の戻りボタン３１又は数か月用の戻りボタン３２をクリック操作すると、カレンダ管理部２１は、１ヶ月前又は数か月前の例えば２０１Ｘ年３月のカレンダをディスプレイ３の表示画面上に表示するので、この表示から１ヶ月前又は数か月前のカレンダの各曜日設定モードＡ、Ｂ、…、Ｈの設定を確認できる。
【００５３】
なお、カレンダ管理部２１は、キーボード等のマニュアル操作部からの操作指示を受けて、日を選択し、当該選択された日別に、動作モード設定部で設定された曜日設定モードＡ、Ｂ、…、Ｈを変更できる。例えば、カレンダ管理部２１は、キーボード等のマニュアル操作部からの操作指示を受け、最小単位とする日毎、例えば図４に示すように最小単位の日として例えば６月２９日（火曜日）の曜日設定モードを変更設定可能である。当該曜日設定モードの変更の操作は、上記の通り、マニュアル操作部のマウスを操作することによりディスプレイ３の表示画面上でポインタをカレンダ３０の６月２９日（火曜日）上に配置し、この状態でマウスをクリック動作することによって曜日設定モードの変更用の画面をディスプレイ３の表示画面上に表示する。この表示画面上で曜日設定モードを変更設定することによって個別の日、例えば６月２９日（火曜日）等の日単位での曜日設定モードが変更設定される。
【００５４】
カレンダ管理部２１は、複数の蓄熱暖房器群４−１〜４−ｋの各蓄熱暖房器５−１〜５−ｎ、７−１〜７−ｍの１台毎にそれぞれ上記カレンダ管理データを設定し、これらカレンダ管理データを第１のＰＣ２の例えばＲＡＭ等に保存する。従って、第１のＰＣ２のＲＡＭには、複数の蓄熱暖房器群４−１〜４−ｋの各蓄熱暖房器５−１〜５−ｎ、７−１〜７−ｍ毎の複数のカレンダ管理データ、例えば図５に示すように１ヶ月単位で各曜日（日・月・火・水・木・金・土）に設定された各曜日設定モードＡ、Ｂ、…、Ｈを含むカレンダ管理データが保存される。
【００５５】
次に、蓄熱暖房制御部２２は、第１のＰＣ２の例えばＲＡＭから複数の蓄熱暖房器群４−１〜４−ｋの各蓄熱暖房器５−１〜５−ｎ、７−１〜７−ｍ別にカレンダ管理部２１に設定された各曜日設定モードＡ、Ｂ、…、又はＨを読み出し、これら曜日設定モードＡ、Ｂ、…、又はＨ、すなわち例えばファンのオン・オフと、このファンの回転数と、ヒータのオン・オフと、設定室温と、蓄熱開始時の周囲環境の気温（外気温）と、蓄熱開始時蓄熱レベルと、フル蓄熱時外気温とに従って複数の蓄熱暖房器群４−１〜４−ｋの各蓄熱暖房器５−１〜５−ｎ、７−１〜７−ｍをそれぞれ個別に動作制御する。
【００５６】
複数の蓄熱暖房器群４−１〜４−ｋの各蓄熱暖房器５−１〜５−ｎ、７−１〜７−ｍでは、それぞれ各曜日設定モードＡ、Ｂ、…、又はＨに従い、蓄熱部材に対してヒータからの放熱によって蓄熱し、この蓄熱された蓄熱部材から放熱を行い、この放熱をファンの駆動により温風として送風し、例えば教室４３等の室内を暖房する。
【００５７】
これら蓄熱暖房器群４−１〜４−ｋの各蓄熱暖房器５−１〜５−ｎ、７−１〜７−ｍをそれぞれ個別に動作制御中に、モニタリング部２３は、複数の蓄熱暖房器群４−１〜４−ｋ別に、これら蓄熱暖房器群４−１〜４−ｋの各蓄熱暖房器５−１〜５−ｎ、７−１〜７−ｍの動作状態をそれぞれリアルタイムでモニタリングする。
【００５８】
このモニタリングする動作状態は、例えば、各蓄熱暖房器５−１〜５−ｎ、７−１〜７−ｍの各動作時間と、各蓄熱暖房器５−１〜５−ｎ、７−１〜７−ｍの各蓄熱部材から放熱を行った時間と、各蓄熱暖房器５−１〜５−ｎ、７−１〜７−ｍの各ファンのオン・オフの状態と、これらファンの回転数の変化と、各蓄熱暖房器５−１〜５−ｎ、７−１〜７−ｍにおける各ヒータのオン・オフの状態と、各蓄熱暖房器５−１〜５−ｎ、７−１〜７−ｍの設定室温の変更と、蓄熱開始時の周囲環境の気温（外気温）と、各蓄熱暖房器５−１〜５−ｎ、７−１〜７−ｍの各蓄熱開始時蓄熱レベルと、フル蓄熱時外気温とである。  
これと共に、履歴保存部２４は、モニタリング部２３のモニタ結果を動作履歴データとして例えばＲＡＭ等に保存する。  
一方、レイアウト表示部２５は、例えば図９に示すように、各種の施設、学校等の建造物に複数の蓄熱暖房器５−１〜５−ｎ、７−１〜７−ｍの一部を配置する蓄熱暖房器レイアウト図をディスプレイ３に表示する。蓄熱暖房器レイアウト図には、学校のレイアウトを構成する例えば職員室４０と、保健室４１と、応接室４２と、教室４３と、教室４４と、講堂４５とが表示され、かつ各蓄熱暖房器５−１〜５−６の配置位置が表示されている。
【００５９】
各蓄熱暖房器群４−１〜４−ｋの各蓄熱暖房器５−１〜５−ｎ、７−１〜７−ｍをそれぞれ個別に動作制御中に、異常報知部２６は、複数の蓄熱暖房器５−１〜５−ｎ、７−１〜７−ｍの動作状態を監視し、これら複数の蓄熱暖房器５−１〜５−ｎ、７−１〜７−ｍ中のいずれかに異常が発生すると、当該異常が発生した蓄熱暖房器を示す報知を、ディスプレイ３に表示されている蓄熱暖房器レイアウト図上で行う。
【００６０】
この異常報知部２６による蓄熱暖房器の異常発生は、複数の蓄熱暖房器５−１〜５−ｎ、７−１〜７−ｍの動作状態、例えば、各蓄熱暖房器５−１〜５−ｎ、７−１〜７−ｍの正常な動作から離れた動作状態、具体的に、ファンの異常なオン・オフ、ファンの異常な回転数の増加又は減少、ヒータの異常なオン・オフ状態、設定室温の異常な変更設定等が生じたか否かを監視することにより検知する。  
異常報知部２６は、蓄熱暖房器の異常発生を検知すると、例えば異常が発生した蓄熱暖房器５−１の蓄熱暖房器レイアウト図上の文字「職員室」を黒色から赤色に変更して表示し、異常が発生したことを報知する。異常の報知は、文字「職員室」を黒色から赤色に変更し、かつ赤色の文字「職員室」を点滅させてもよいし、音声により「職員室」に異常が発生したことを報知してもよい。
【００６１】
なお、上記動作モード設定部２０は、履歴保存部２４に保存されている各蓄熱暖房器群４−１〜４−ｋ別に各蓄熱暖房器の動作履歴データに基づいて各蓄熱暖房器の蓄熱部材への蓄熱量を設定する。  
例えば、動作モード設定部２０は、蓄熱開始時における蓄熱部材の蓄熱開始時蓄熱レベルと、室温設定と、蓄熱開始時の周囲環境の気温（外気温）と、蓄熱部材への蓄熱量とを動作履歴データとして予めＲＡＭ等に保存する。  
動作モード設定部２０は、複数の蓄熱暖房器群４−１〜４−ｋの各第２のＰＣ１３−１〜１３−ｋからＬＡＮ１０を通してそれぞれ各蓄熱暖房器５−１〜５−ｎ、７−１〜７−ｍにおける各蓄熱開始時蓄熱レベルと、各設定室温と、各蓄熱開始時の周囲環境の気温との情報を収集し、これら収集された情報とＲＡＭ等に保存されている動作履歴データとを照合することによって、蓄熱暖房器群４−１〜４−ｋにおける各蓄熱暖房器５−１〜５−ｎ、７−１〜７−ｍの各蓄熱部材への各蓄熱量を決定する。  
これら蓄熱量の決定は、各蓄熱暖房器５−１〜５−ｎ、７−１〜７−ｍから収集された情報と動作履歴データとを照合することによって、動作履歴データ中から収集された情報に類似する動作履歴データを選び出し、この選び出した動作履歴データ中に記録されている各蓄熱暖房器５−１〜５−ｎ、７−１〜７−ｍの各蓄熱部材への各蓄熱量を読み取って決定する。
【００６２】
又、動作モード設定部２０は、各蓄熱暖房器５−１〜５−ｎ、７−１〜７−ｍから収集された情報と動作履歴データ中の最新の情報とを照合することによって、例えば、蓄熱開始時蓄熱レベルが大きく、設定室温が高く、又は蓄熱開始時の周囲環境の気温（外気温）が高ければ、蓄熱部材への蓄熱量を少なく設定する。蓄熱開始時蓄熱レベルが小さく、設定室温が低く、又は熱開始時の周囲環境の気温（外気温）が低ければ、動作モード設定部２０は、蓄熱部材への蓄熱量を大きく設定する。この場合、蓄熱部材への蓄熱量を変更する量は、蓄熱開始時蓄熱レベル、設定室温、又は熱開始時の周囲環境の気温（外気温）と動作履歴データ中の最新の情報との差異に応じた蓄熱部材への蓄熱量の変化量を予め設定し、上記差異に応じて蓄熱部材への蓄熱量を変更設定する。
【００６３】
このように上記一実施の形態によれば、例えば動作モード設定部２０によってファンのオン・オフと、このファンの回転数の制御等から成る複数の曜日設定モードＡ、Ｂ、…、Ｈを設定し、カレンダ管理部２１によって図４に示すように１ケ月のカレンダの各曜日（日・月・火・水・木・金・土）に対して各曜日設定モードＡ、Ｂ、…、Ｈのいずれか１つのモードを設定し、蓄熱暖房制御部２２によって複数の蓄熱暖房器群４−１〜４−ｋの各蓄熱暖房器５−１〜５−ｎ、７−１〜７−ｍ別に曜日設定モードＡ、Ｂ、…、又はＨに従って個別に動作制御する。
【００６４】
これにより、複数の蓄熱暖房器群４−１〜４−ｋの各蓄熱暖房器５−１〜５−ｎ、７−１〜７−ｍ別に動作制御することができ、この動作制御中に、モニタリング部２３は、複数の蓄熱暖房器群４−１〜４−ｋ別に、これら蓄熱暖房器群４−１〜４−ｋの各蓄熱暖房器５−１〜５−ｎ、７−１〜７−ｍの動作状態をそれぞれリアルタイムでモニタリングできる。このモニタリングによってサービスセンタ１の第１のＰＣ２では、複数の蓄熱暖房器群４−１〜４−ｋの各蓄熱暖房器５−１〜５−ｎ、７−１〜７−ｍの動作状態をそれぞれリアルタイムで監視できる。
【００６５】
このモニタリングする動作状態は、例えば、各蓄熱暖房器５−１〜５−ｎ、７−１〜７−ｍの各動作時間と、各蓄熱暖房器５−１〜５−ｎ、７−１〜７−ｍの各蓄熱部材から放熱を行った時間と、各蓄熱暖房器５−１〜５−ｎ、７−１〜７−ｍの各ファンのオン・オフの状態と、これらファンの回転数の変化と、各蓄熱暖房器５−１〜５−ｎ、７−１〜７−ｍにおける各ヒータのオン・オフの状態と、各蓄熱暖房器５−１〜５−ｎ、７−１〜７−ｍの設定室温の変更と、蓄熱開始時の周囲環境の気温（外気温）と、各蓄熱暖房器５−１〜５−ｎ、７−１〜７−ｍの各蓄熱開始時蓄熱レベルと、フル蓄熱時外気温とである。  
このモニタリングする動作状態は、サービスセンタ１の第１のＰＣ２に接続されたディスプレイ３の表示画面上で確認できる。
【００６６】
異常報知部２６は、複数の蓄熱暖房器群４−１〜４−ｋにおける複数の蓄熱暖房器５−１〜５−ｎ、７−１〜７−ｍの動作状態を監視し、これら複数の蓄熱暖房器５−１〜５−ｎ、７−１〜７−ｍ中のいずれかに異常が発生すると、当該異常が発生した蓄熱暖房器を示す報知を、ディスプレイ３に表示されている蓄熱暖房器レイアウト図上で行うので、サービスセンタ１の第１のＰＣ２において、複数の蓄熱暖房器群４−１〜４−ｋにおける複数の蓄熱暖房器５−１〜５−ｎ、７−１〜７−ｍの異常の発生がサービスセンタ１に在中する管理者によって確認でき、異常の発生に対する措置を直ちに講じることができる。蓄熱暖房器の異常発生を検知すると、例えば異常が発生した蓄熱暖房器５−１の蓄熱暖房器レイアウト図上の文字「職員室」を黒色から赤色に変更して表示し、異常が発生したことを報知するので、サービスセンタ１の第１のＰＣ２に接続されたディスプレイ３の表示画面上で異常の発生を直ぐに確認できる。
【００６７】
又、動作モード設定部２０は、複数の蓄熱暖房器群４−１〜４−ｋの各第２のＰＣ１３−１〜１３−ｋからＬＡＮ１０を通してそれぞれ各蓄熱暖房器５−１〜５−ｎ、７−１〜７−ｍにおける各蓄熱開始時蓄熱レベルと、各設定室温と、各蓄熱開始時の周囲環境の気温との情報を収集し、これら収集された情報とＲＡＭ等に保存されている動作履歴データとを照合することによって、蓄熱暖房器群４−１〜４−ｋにおける各蓄熱暖房器５−１〜５−ｎ、７−１〜７−ｍの各蓄熱部材への各蓄熱量を自動的に決定することができる。  
以上のように上記一実施の形態であれば、管理者に負担を掛けずに、施設に設置された複数の蓄熱暖房器をその施設やその施設の環境等に応じて最適に制御できる。
【００６８】
なお、複数の蓄熱暖房器群４−１〜４−ｋ側の各第２のＰＣ１３−１〜１３−ｋにおいて各動作許可部２７は、それぞれ動作モード設定部２０と、カレンダ管理部２１と、蓄熱暖房制御部２２と、モニタリング部２３と、履歴保存部２４と、レイアウト表示部２５と、異常報知部２６とに対する動作許可に制限を与える。これにより、複数の蓄熱暖房器群４−１〜４−ｋ側、すなわち学校等の第１及び第ｋの施設６−１、６−ｋに在中の職員等によって例えば動作モード設定部２０での各曜日設定モードＡ、Ｂ、…、Ｈの設定内容や、カレンダ管理部２１における例えば図５に示すカレンダ管理データの各曜日設定モードＡ、Ｂ、…、Ｈの設定を変更することを防止できる。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７０】
１：サービスセンタ、２：第１のパーソナルコンピュータ（第１のＰＣ）、３：ディスプレイ、１０：ローカルエリアネットワーク（ＬＡＮ）、４−１〜４−ｋ：複数の蓄熱暖房器群、５−１〜５−ｎ：複数の蓄熱暖房器、６−１〜６−ｋ：第１〜第ｋの施設、７−１〜７−ｍ：複数の蓄熱暖房器、１１：第１の施設のハブ、１２：第ｋの施設のハブ、１３−１〜１３−ｋ：第２のパーソナルコンピュータ（第２のＰＣ）、Ｓ−１〜Ｓ−ｋ：複数の外気温センサ、２０：動作モード設定部、２１：カレンダ管理部、２２：蓄熱暖房制御部、２３：モニタリング部、２４：履歴保存部、２５：レイアウト表示部、２６：異常報知部、２７：動作許可部、３０：カレンダ、３１：１ヶ月用の戻りボタン、３２：数か月用の戻りボタン、３３：１ヶ月用の進みボタン、３４：数か月用の進みボタン、４０：職員室、４１：保健室、４２：応接室、４３：教室、４４：教室、４５：講堂。
【図１】
2014185837.tif 000003
【図２】
2014185837.tif 000004
【図３】
2014185837.tif 000005
【図４】
2014185837.tif 000006
【図５】
2014185837.tif 000007
【図６】
2014185837.tif 000008
【図７】
2014185837.tif 000009
【図８】
2014185837.tif 000010
【図９】
2014185837.tif 000011
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
ある施設内の複数の部屋に置かれ、ヒータ、このヒータからの熱を蓄熱する蓄熱部材及び前記蓄熱部材からの放熱を送風するファンを個別に有する複数の蓄熱暖房器から成る蓄熱暖房器群を備え、前記各蓄熱暖房器の動作状態を当該施設内のパーソナルコンピュータで管理する蓄熱暖房器の管理装置において、当該施設内のパーソナルコンピュータが
前記蓄熱暖房器の夫々を動作させるための動作モードを設定する動作モード設定部であって、
前記動作モード設定部は、前記各蓄熱暖房器に対して各曜日の一日における動作モードの設定を可能とし、前記各蓄熱暖房器を互いに異なる動作モードで動作制御する複数の曜日設定モードを含み、各曜日設定モードは、
ファンのオン／オフ、ファンの回転数、ヒータのオン／オフ、時間変化とともに変化させる室温、蓄熱開始時の外気温度、蓄熱開始時の蓄熱レベル及びフル蓄熱時の外気温度の設定を含んでいる動作モード設定部と、
カレンダの各曜日に対して前記曜日設定モードから選択された固有の動作モードを設定し、前記曜日で構成される各一日を最小単位として前記固有の動作モードを日別に設定するカレンダ管理部と、
前記カレンダ管理部に設定された前記固有の動作モードに従って前記各蓄熱暖房器を動作制御する蓄熱暖房制御部と、及び
前記動作モード設定部における前記曜日設定モードの変更及び前記カレンダ管理部における前記固有の動作モードの設定変更を制限する動作許可部と、
の機能を具備し、他の複数施設をも管理するサービスセンタのパーソナルコンピュータからの許可に基づいて前記設定変更が解除されることを特徴とする蓄熱暖房器の管理装置。
【請求項２】
前記動作モード設定部は、前記蓄熱暖房器群に対して一括して前記動作モードを設定することを特徴とする請求項１記載の蓄熱暖房器の管理装置。
【請求項３】
前記動作モード設定部は、前記動作モードの設定項目毎の設定の違いによって複数の動作モードを設定可能とすることを特徴とする請求項１記載の蓄熱暖房器の管理装置。
【請求項４】
前記動作モード設定部は、前記動作モードの設定項目を曜日毎に異なる固有な設定内容で設定可能とすることを特徴とする請求項１記載の蓄熱暖房器の管理装置。
【請求項５】
前記カレンダ管理部は、前記日を選択し、当該選択された日別に、前記動作モード設定部で設定された前記動作モードを変更可能とすることを特徴とする請求項１記載の蓄熱暖房器の管理装置。
【請求項６】
前記カレンダ管理部は、少なくともカレンダ中の１ヶ月を単位として表示し、当該カレンダ中で前記少なくとも室温の設定が異なる複数の前記動作モードの区別を日別に色表示することを特徴とする請求項１記載の蓄熱暖房器の管理装置。
【請求項７】
前記蓄熱暖房器群別に前記各蓄熱暖房器の動作状態をリアルタイムでモニタするモニタリング部を有することを特徴とする請求項１記載の蓄熱暖房器の管理装置。
【請求項８】
前記モニタリング部のモニタ結果を動作履歴として保存する履歴保存部を有することを特徴とする請求項７記載の蓄熱暖房器の管理装置。
【請求項９】
前記動作モード設定部は、前記履歴保存部に保存されている前記動作履歴に基づいて前記蓄熱部材への蓄熱量を設定することを特徴とする請求項８記載の蓄熱暖房器の管理装置。
【請求項１０】
建造物に前記複数の蓄熱暖房器を配置するレイアウト図を表示するレイアウト表示部と、
前記複数の蓄熱暖房器の動作状態を監視し、前記蓄熱暖房器に異常が発生すると、当該異常発生を示す報知を、前記レイアウト図上における当該異常が発生した前記蓄熱暖房器の配置位置で行う異常報知部と、
を有することを特徴とする請求項１記載の蓄熱暖房器の管理装置。